(57)【要約】【課題】投写型表示装置の設置環境により、冷却風の排気方向を適宜変更できるようにする必要がある。また、排気方向の変更に対して吸気口の方向も同時に変更して吸・排気の間で循環しない仕組みを実現する必要がある。【解決手段】装置の発熱熱量の大部分を占めるランプ周りの冷却系統とそれ以外の液晶パネルなどの冷却系統とを分離し、さらにランプ周りの冷却系統に設けた排気ファンの回転方向を正逆切り替えることにより装置全体での吸気・排気の方向を逆転設定できる手段を設けるように構成する。【選択図】  図４
2004361686.tif 000002
【特許請求の範囲】
【請求項１】
光源ユニットと、
該光源ユニットを冷却する第１の冷却ファンと、
該光源ユニットからの光束を変調するライトバルブと、
該ライトバルブを冷却する第２の冷却ファンと、
該ライトバルブで変調した光を投射する投射レンズとを有し、
前記第１の冷却ファンによる第１の冷却風路と、前記第２の冷却ファンによる第２の冷却風路とは互いに略独立して成り、
前記第１の冷却ファンによる第１の冷却風の送風方向を選択的に切り替えるように構成したことを特徴とする投写型表示装置。
【請求項２】
前記光源ユニットを内部に配置したダクトを有し、該ダクトにより前記第１の冷却風路を構成したことを特徴とする請求項１に記載の投写型表示装置。
【請求項３】
前記第１の冷却ファンの回転方向を正逆２方向に切り替えることにより、前記第１の冷却風の送風方向を選択的に切り替えるように構成したことを特徴とする請求項１乃至請求項２の何れか一項に記載の投写型表示装置。
【請求項４】
前記第１の冷却ファンは回動可能に構成され、該冷却ファンを回動することにより、前記第１の冷却風の送風方向を選択的に切り替えるように構成したことを特徴とする請求項１乃至請求項２の何れか一項に記載の投写型表示装置。
【請求項５】
前記第１の冷却ファンは前記投写型表示装置の筐体の略中央部に設けたことを特徴とする請求項１乃至請求項４の何れか一項に記載の投写型表示装置。
【請求項６】
前記第１の冷却風路内に、複数の冷却ファン着脱可能箇所を設け、前記第１の冷却ファンの着脱箇所を選択して装着することにより、前記第１の冷却風の送風方向を選択的に切り替えるように構成したことを特徴とする請求項１乃至請求項２の何れか一項に記載の投写型表示装置。
【請求項７】
前記第１の冷却風を前記光学ユニットに吹き付けて冷却するように、前記第１の冷却ファンを装着するように構成する請求項６に記載の投写型表示装置。
【発明の詳細な説明】
【０００１】
【発明の属する技術分野】
本発明は、液晶パネルなどのライトバルブ素子を使用して、スクリーン上に映像を投影する投写型表示装置、例えば、液晶投写型表示装置、液晶テレビジョン、投写型ディスプレイ装置等に関するものである。
【０００２】
【従来の技術】
従来、電球などの光源からの光を、液晶パネルなどのライトバルブ素子で画素毎の濃淡に変えて調節し、スクリーンなどに画像を拡大投射する液晶プロジェクタ等の投写型のプロジェクタ装置が知られている。
【０００３】
投写型表示装置においては、照明手段の光源であるランプからの光をライトバルブ手段の光学変調素子で変調し、投射手段によりスクリーンなどに投射して映像として表示をおこなっている。この種の投写型表示装置においては、照明手段としてのランプの光出力以外の発熱成分を、装置外部へ排出する冷却手段を設けるのが通例である。また、ライトバルブ手段である光学変調素子においては、送られてくる光を変調して映像に変換する時に、不要な光を吸収するなどして、素子自体が発熱する。このときに、光学変調素子の温度管理を怠ると素子の寿命が短くなるということが知られており、ライトバルブ素子の冷却手段も設けられているのが通例である。
【０００４】
従来、この種の投写型表示装置の排気方向に関しては、たとえば下記特許文献１、下記特許文献２、そして下記特許文献３などに開示される例が知られていた。
【０００５】
下記特許文献１に開示される従来技術においては、投写型表示装置の排気口に可撓性のあるダクトを設け、ダクトの方向を適宜変更することにより、排気方向を変更する構成となっていた。このようにすると、排気方向をその設置環境に合わせて適宜変更することが可能であり、設置環境に対応して排気方向を変更するという課題はクリアされている。
【０００６】
下記特許文献２に開示される従来技術においては、排気口に設けた排気ガイド（ルーバ）の案内方向を、ルーバの取り付け方向を変更することにより、上下左右設定できる構成となっていた。このようにすることにより、装置外部への排気方向を適宜変更することが可能となり、設置環境に対応して排気方向を変更するという課題はある程度はクリアされている。
【０００７】
下記特許文献３に開示される従来技術においては、排気口を複数方向設け、排気口に設けたセンサにより、塞がれた排気口を検出して必要に応じて使用する排気口を変更する構成となっていた。このようにすることにより、設置環境に対応して排気方向を変更するという課題はクリアされている。
【特許文献１】
特開平９−３１９００７号公報
【特許文献２】
特開２０００−１３７２９１号公報
【特許文献３】
特開２００１−１８５８８４号公報
【０００８】
【発明が解決しようとする課題】
上記特許文献１においては、冷却風の吸気口と排気口が設定状態によっては接近してしまうことがあり、このような場合には熱い排気を再び吸気してしまい、冷却能力が低下することがあるという新たな問題が発生することがある点、また、装置外部に付加したダクトの取り扱い、特に持ち運び時などに不便である点や操作時に熱いダクトに触れなければならない点など、従来十分に考慮されていなかった。
【０００９】
また、上記特許文献２においては、たとえば側面に設けた排気口に対して上下左右方向には排気方向が変更できるものの、側面からの排気という点は本質的には変わらず、たとえば完全な前方や完全な後方への排気は実現できない点、従来十分に考慮されていなかった。
【００１０】
また、上記特許文献３においては、冷却風の吸気口と排気口が設定状態によっては接近してしまうことがあり、このような場合には熱い排気を再び吸気してしまい、冷却能力が低下することがあるという新たな問題点が発生することがあるという点、また、排気口を複数設ける点や排気方向変更手段として排気ファンの位置を移動したり、複数排気ファンを配置するなど、複数の排気口のスペースが必要となり、装置全体のサイズや重量が増すという点など、従来十分に考慮されていなかった。
【００１１】
投写型表示装置の冷却に伴う排気に関しては、高温の排気を装置の投射方向に対して背面や側面側に排気する場合には、装置を設置した会議室などの場合では人のいる方向に熱い空気を吹き出すことになる。また、投射方向と同じ装置前方に排気する場合には、室温によっては排気の空気密度と周囲の空気との温度差により投射する映像に揺らぎが発生することがあるなど、設置する周囲の環境に適合する最適な排気方向に変更する必要がある。
【００１２】
上記のように、従来技術では、装置環境に応じて排気方向を適宜変更できるようにすることと、吸気口と排気口とを近接しないようにして排気が吸気側にまわりこまないようにすることの両立の配慮を十分にはなされていない。
【００１３】
本願発明はこの点を鑑みて成されたものであり、その目的は、装置の設置環境により排気方向を適宜変更できるようにし、また排気方向を変更した場合には、排気が吸気側に循環するのを低減できる投写型表示装置を提供することにある。
【００１４】
【課題を解決するための手段】
前記課題を達成するために、本願発明は、  光源ユニットと、該光源ユニットを冷却する第１の冷却ファンと、該光源ユニットからの光束を変調するライトバルブと、該ライトバルブを冷却する第２の冷却ファンと、該ライトバルブで変調した光を投射する投射レンズとを有し、前記第１の冷却ファンによる第１の冷却風路と、前記第２の冷却ファンによる第２の冷却風路とは互いに略独立して成り、前記第１の冷却ファンによる第１の冷却風の送風方向を選択的に切り替えるように構成する。
【００１５】
【発明の実施の形態】
以下、図面を参照しながら、本発明の実施の形態について説明する。なお、全図において、機能が同一である構成要素には同一符号を付して示し、また、煩雑さを避けるために、一度述べたものについては繰り返した説明を省略する。
【００１６】
図１から図６は、本発明による、第１の一実施形態の説明図である。図１から順に説明する。
【００１７】
図１は、本発明による第１の一実施の形態である投写型表示装置の概観を示す斜視図で、（ａ）図は、投写型表示装置１の正面側、（ｂ）図は、投写型表示装置の背面側を示す。
【００１８】
図１において、本発明による投写型表示装置１は、（ａ）図のように、吸排気口Ａ２が投射レンズ１０と同じ方向すなわち正面側に面して設けてあり、（ｂ）図に示すように、吸排気口Ｂ３が背面側に設けてある。その他、操作スイッチ５（詳細は後述）、パネル吸気口４などが装置１外部に面して配置されている。
【００１９】
図２は、図１に示した本発明による第１の一実施形態の投写型表示装置１の内部構成を示す斜視図である。
【００２０】
図２において、照明手段であるランプ（光源ユニット）の冷却手段であるランプ冷却ダクト２００が装置内部に設けてあり、ランプ冷却ダクト２００はファン２１０を中心において、吸排気ダクトＵ２１５と吸排気ダクトＢ２１６、および反対側のランプダクト２１３により構成され、両端にダクト吸排気口Ａ２１１及びダクト吸排気口Ｂ２１２が設けられている。
【００２１】
ランプ冷却ダクト２００のランプダクト２１３に隠れているが、この下に照明手段であるランプが設けてある。投写型表示装置の実際の動作の概略は、照明手段であるランプから発生した光を光学エンジン部６内部で図示していないライトバルブ手段により変調した後に、投射手段である投射レンズ１０を経て装置外部のスクリーン（図示せず）などに投射して映像として表示する。
【００２２】
なお、光学エンジン部６は、照明手段であるランプ（図示せず）からの光をライトバルブ手段に照射する照明光学系（図示せず）と、照明光学系で照射される照射光を映像信号に応じて画素毎の光の濃淡に変える光強度変調を行って光学像を形成するライトバルブ手段（図示せず）と、この光学像を拡大して投射する投射手段である投射レンズ１０とから構成されている。図２では、光学エンジン部６はライトバルブ手段として３枚の液晶パネルを用いている。
【００２３】
図３は、図２に示した本発明による第１の一実施形態のランプ冷却ダクト２００の詳細構成を示す分解図を示す。
【００２４】
図３において、ランプ冷却ダクト２００は、ファン２１０に隣接して、ランプ側では、ランプダクト２１３が配置される。ランプダクト２１３の内側には、ランプホルダ８に取り付けられたランプ７が収納され、照明手段として構成されている。このランプダクト２１３の外側がダクト吸排気口Ｂ２１２となる。ファン２１０の反対側には、吸排気ダクトを構成する吸排気ダクトＵ２１５及び吸排気ダクトＢ２１６が設けてあり、この２部品の装置外側に向かった部分がダクト吸排気口Ａ２１１を構成している。
【００２５】
図２及び３に示すように、ランプ冷却ダクト２００は、一方端のダクト吸排気口Ａ２１１が装置外部からの風の出入り口である吸排気口Ａ２に、また他方端のダクト吸排気口Ｂ２１２が装置外部からの風の出入り口である吸排気口Ｂ３に連結されており、投写型表示装置１のその他の部分とは独立したダクト構成となっている。その他の部分である、光学エンジン部６内部の冷却手段は図示していないが、ランプ冷却ダクト２００とは別系統である。
【００２６】
図４は、図１に示した本発明による第１の一実施形態の動作状態を示す断面図である。図４（ａ）は、ファン２１０の送風方向を装置前方（映像の投射方向）に設定した場合、すなわち吸排気口Ｂ３から吸気して、吸排気口Ａ２に排気する動作状態の冷却風の方向を示している。
【００２７】
図４（ａ）において、ファン２１０は装置前方方向に風を送っており、投写型表示装置１の外部から吸排気口Ｂ３より取り込んだ外気は、矢印Ａ７００のようにランプ冷却ダクト２００のダクト吸排気口Ｂ２１２を経てランプダクト２１３内のランプ７で発生した熱と熱交換し、ファン２１０へと達する。そして、ファン２１０により送りだされた風は、吸排気ダクトを構成する吸排気ダクトＵ２１５及び吸排気ダクトＢ２１６を経てダクト吸排気口Ａ２１１を経て吸排気口Ａ２から投写型表示装置１外部へと排出される。
【００２８】
図４（ｂ）は、ファン２１０の送風方向を装置後方の背面側に設定した場合、すなわち吸排気口Ａ２から吸気して、吸排気口Ｂ３に排気する動作状態の冷却風の方向を示している。
【００２９】
図４（ｂ）において、ファン２１０は、装置後方方向に風を送っており、投写型表示装置１の外部から吸排気口Ａ２より取り込んだ外気は、矢印Ｂ７５０のように、吸排気ダクト部（吸排気ダクトＵ２１５，吸排気ダクトＢ２１６）によるダクト吸排気口Ａ２１１を経て吸排気ダクト部を経由してファン２１０へと達する。ファン２１０により送り出された風は、ランプダクト２１３内部にあるランプ７に吹き当てられて、ランプから発生る熱と熱交換してダクト吸排気口Ｂ２１２及び吸排気口Ｂ３から投写型表示装置１の外部へと排出される。
【００３０】
これらの図４（ａ）（ｂ）に示す状態は、ファン２１０の送風方向を変更することにより実現できる。すなわち、ファン２１０の回転方向を正逆切り替えることにより、ランプ冷却ダクト２００内を流れる風の方向を正逆切り替えることができる。そして、このようにファン２１０の送風方向を変更すると、投写型表示装置１全体での吸気口と排気口との役割を変更することができる。すなわち、図４（ａ）のようにすると、吸排気口Ｂ３から吸気して吸排気口Ａ２へ排気する動作となる。図４（ｂ）のようにすると、吸排気口Ａ２から吸気して、吸排気口Ｂ３へ排気する動作となる。これらにより、投写型表示装置の前方方向への排気状態、すなわち図４（ａ）の状態の場合と、投写型表示装置の後方への排気状態すなわち図４（ｂ）の状態の、２通りの状態のいずれかを選択することができる。
【００３１】
また、ランプ冷却ダクト２００側の冷却風のとおる範囲は、その他の光学エンジン部６の範囲とは仕切られており、ランプ冷却ダクト２００内の送風方向を変更しても、投写型表示装置１内部の光学エンジン部６などのその他の部分への冷却に関する影響はない。
【００３２】
なお、ファン２１０は、図２，図４から明らかなように、ランプ冷却ダクト２００の略中心に配設されているので、ファンの回転によって生じる騒音を低レベルに抑えることができる。
【００３３】
図５は、ファン２１０の送風方向すなわち回転方向を変更する回路のブロック図を示す。図５において、ファンの内部のファンモータ駆動コイルは３相あり、コイルＡ３０１、コイルＢ３０２、コイルＣ３０３の３つに順次電流を流してファンを駆動する。このとき、モータ制御ＩＣ３００から出力される３相の駆動線すなわちＡ相ライン３０４、Ｂ相ライン３０５、Ｃ相ライン３０６の３つの線の内の２つを入れ替えることによりファンの回転方向を変更することができる。たとえば、スイッチ３０７でＡ相とＢ相を入れ替えることにより、回転方向を切り替えることができる。スイッチ３０７は、投写型表示装置１外部に設けた操作スイッチ５に連動しており、装置外部から、ファンモータの駆動位相を入れ替える設定が可能となっている。このようにすると、装置外部の操作スイッチ５を操作することにより、スイッチ３０７を動かしてモータの駆動位相Ａ相とＢ相を入れ替え、結果としてファンモータの駆動位相を変更することにより、ファンモータの回転方向を切り替えることが可能となる。
【００３４】
このようにファンモータの回転方向を切り替えることにより、ランプ冷却ダクトの吸気・排気の方向を入れ替えることができる。
【００３５】
このようにして、投写型表示装置１の外部に面して設けられた操作スイッチ５を操作することにより、投写型表示装置全体でのランプに関する吸気・排気の方向を同時に入れ替えることが可能となる。
【００３６】
図１に戻り、投写型表示装置１全体での動作をまとめて説明する。図１において、投写型表示装置１外側に面して設けられた操作スイッチ５を操作し、たとえば「正転」位置にスイッチを操作すると、内部のファンが正転方向に回転し、図４（ａ）で示した矢印Ａ７００方向に送風動作を行う。このときには、吸排気口Ｂ３側から外部の空気を吸気し、内部のランプを冷却した排気を吸排気口Ａ２から排気する。すなわち、投写型表示装置１の投射方向と同方向の前方に排気を行う設定となる。
【００３７】
次に、投写型表示装置１外側に面して設けられた操作スイッチ５を操作して、たとえば「逆転」位置にスイッチを操作すると、内部のファンが逆転方向に回転し、図４（ｂ）で示した矢印Ｂ７５０方向に送風動作を行う。このときには、吸排気口Ａ２側から外部の空気を吸気し、内部のランプを冷却した排気を吸排気口Ｂ３から排気する。すなわち、投写型表示装置１の投射方向の前方側から吸気し、後方側に排気を行う設定となる。
【００３８】
以上述べたように、本実施形態によれば、投写型表示装置の設置環境に応じて、適宜吸排気口方向を変更でき、かつ、吸気口と排気口が装置筐体の対向する２つの面にそれぞれ設けられているので、排気が吸気口側に回り込んで漏れこむのを低減することができる。
【００３９】
なお、上記では照明手段であるランプをランプ冷却ダクトで形成された風路中に設けて、ファンからの冷却風で冷却するとしたが、冷却対象はランプに限定されるものではなく、ランプ近傍に配設される光学フィルタや光学レンズ等の照明光学系の一部を含んでも良いことはいうまでもない。
【００４０】
図６は、本発明による第２の一実施形態の構成を示す斜視図である。第１の実施形態ではファンの回転方向を操作スイッチで変えて送風方向を適宜選択できるようにしたが、第２の実施形態ではファンを着脱可能にして、回転方向が反転する向きに装着し、送風方向を変えるようしたものである。
【００４１】
図６において、投写型表示装置１の上面には、ファン取り出し口４００があり、ファン蓋４０１を開けて内部のファン２１０を取り出すことができる。図６（ａ）には、たとえばファン２１０が回転すると「正」方向に送風する状態を示している。この状態は、説明のために蓋を開けてファンを取り出した状態であるが、実際には装置内部にファンを取り付けて蓋を閉めて動作を行う。この図６（ａ）の状態では、投写型表示装置１の吸排気口Ａ２側がランプを冷却した排気を排出する排気口として動作する。
【００４２】
図６（ｂ）には、たとえばファン２１０が回転すると「逆」方向に送風する状態を示している。この状態は、説明のために蓋を開けてファンを取り出した状態であるが、実際には装置内部にファンを取り付けて蓋を閉めた状態で動作を行う。この図６（ｂ）の状態では、投写型表示装置１の吸排気口Ｂ３側が、ランプを冷却した排気を排出する排気口として動作する。
【００４３】
このように、冷却用のファンの取り付け方向を差し替えることにより、冷却風の方向を切り替える構成とすることによっても、吸気・排気の方向を入れ替えることができる。
【００４４】
図７は、本発明による第３の一実施形態の構成を示す斜視図である。第３の実施形態ではファンを装着できる箇所を複数（ここでは２箇所）備え、それぞれの箇所には挿入方向を識別する手段（ここでは切り欠き突起）を有してファンの回転方向を指定し、一つのファンの装着場所を変えて、送風方向を変えるようにすることに特徴がある。
【００４５】
図７において、投写型表示装置１の上面には図７（ａ）に示すように、２つのファン取り付部、ファン取り付け部Ａ５００とファン取り付け部Ｂ５０１が設けてある。
【００４６】
ファン取り付け蓋５０３にはファン２１０が取り付けられて、一体として取り扱うことができる。また、ファン取り付け蓋５０３には方向識別切り欠き５０４が設けてあり、投写型表示装置１へ取り付ける場合に取り付け方向を規制する構成としてある。図７（ａ）に示すように、ファン取り付け部Ａ５００には、突起Ａ５０５が設けてある。一方ファン取り付け部Ｂ５０１には、突起Ｂ５０６が設けてある。これらのファン取り付け部に対して、ファンを取り付けると、ファン取り付け蓋５０３に設けてある方向識別きり欠き５０４とそれぞれの突起とが適合する方向にしか取り付けることができない。この図７（ａ）の形態では、ファン取り付け部Ａ５００とファン取り付け部Ｂ５０１との間では、ファンの取り付け方向を反転した方向で取り付けることができる。
【００４７】
ファンを取り付けた取り付け部の残りの空いている取り付け部には、蓋５０７を取り付けて開口部を閉じることができる。
【００４８】
図７（ｂ）図には、ファン取り付け部Ｂ５０１にファンを取り付けた状態の冷却風の矢印７６０を示す。すなわち、ランプ冷却ダクト２００内のファン２１０から送り出された風は、ランプ７周りを冷却した後に、投写型表示装置１の投射方向、すなわち前方方向に排気される。
【００４９】
図７（ｃ）図には、ファン取り付け部Ａ５００にファンを取り付けた状態の冷却風の矢印７７０を示す。すなわち、ランプ冷却ダクト２００内のファン２１０から送り出された風は、ランプ７周りを冷却した後に、投写型表示装置１の投射方向の反対側、すなわち背面方向に排気される。
【００５０】
この図７に示す一実施の形態のようにすると、投写型表示装置１の前方・後方排気の設定をファンの差し替えにより実現でき、また、ランプの冷却は必ず吹き当てで行うことができ、効率よく熱交換することができる。
【００５１】
図８は、本発明による第４の一実施形態の内容を示す断面図である。第４の実施形態ではファンの向きを回動可能にして反転させ、送風方向を変更できるようにしている。
【００５２】
図８において、投写型表示装置１内部のランプ冷却ダクト２００内には、回転部６００に取り付けられたファン２１０がある。回転部６００を矢印６１０のように回動して、ファンの吹き出し方向を変更することができる。このようにしても、投写型表示装置１の吸気・排気の方向を切り替えることが可能となる。
【００５３】
第１の実施形態では、ファンの回転方向（送風方向）切り替えにスイッチを用いて３相駆動線を入れ替える例で説明を行ったが、もちろん駆動波形の位相そのものを変更するものや、電流の極性を切り替えるものなど、電気的な切り替えを行う物であっても同様の効果を得られることはいうまでもない。また、ファンの送風方向を切り替える方式としては、ファンの回転方向を換えるもの以外に、ファンの羽根の角度を切り替える、可変ピッチプロペラ方式によるものであっても同様に装置の使用環境に応じて、冷却風の排気口と吸気口を入れ替えることができる。
【００５４】
本実施の形態の説明では、吸気・排気の方向を、投写型表示装置の投射方向を前方としてその反対側を後方と定義し、前方／後方での方向切り替えの例で説明したが、右側面と左側面あるいは前面・側面、上面・前面などの組み合わせであっても同様の効果を得られることはいうまでもない。
【００５５】
投写型表示装置の説明では、実施の形態として、ライトバルブ手段に液晶を用いた例で説明したが、他のライトバルブ手段、たとえば微少鏡駆動方式、レーザーアドレス液晶方式など、入射光を変調して映像として投影できるものであれば透過式・反射式ともに同様に実現可能である。また、ライトバルブ手段についても３枚使用するいわゆる３板方式、２枚、１枚でも同様の効果を有することは言うまでもない。
【００５６】
以上記載のように本発明は、装置の使用環境に応じて冷却風の排気口と吸気口とを入れ替えることができ、使用環境に対応する最適な運転状態を実現する。
【００５７】
【発明の効果】
以上のように本発明によれば、使い勝手を向上させた投写型表示装置を提供することが可能となる。
【図面の簡単な説明】
【図１】本発明の第１実施形態に係る投写型表示装置の外観を示す斜視図である。
【図２】本発明の第１実施形態に係る投写型表示装置の内部構成を示す斜視図である。
【図３】本発明の第１実施形態に係るランプ冷却ダクトの構成を示す斜視図である。
【図４】本発明の第１実施形態に係るランプ冷却ダクトの冷却風の方向を説明する断面図である。
【図５】本発明の第１実施形態に係るファンの回転方向切り替え回路を示すブロック図である。
【図６】本発明の第２実施形態に係る投写型表示装置の外観を示す斜視図である。
【図７】本発明の第３実施形態に係る投写型表示装置のファン交換システムを説明する斜視図である。
【図８】本発明の第４実施形態に係るランプ冷却ダクト周りの冷却風の切り替えの説明図である。
【符号の説明】
１…投写型表示装置、２…吸排気口Ａ、３…吸排気口Ｂ、４…パネル吸気口、５…操作スイッチ、６…光学エンジン部、７…ランプ、８…ランプホルダ、２００…ランプ冷却ダクト、２１０…ファン、２１１…ダクト吸排気口Ａ、２１２…ダクト吸排気口Ｂ、２１３…ランプダクト、３００…制御ＩＣ、３０１…コイルＡ、３０２…コイルＢ、３０３…コイルＣ、３０７…スイッチ、４００…ファン取り出し口、５００…ファン取り付け部Ａ、５０１…ファン取り付け部Ｂ、６００…回転部。
【図１】
2004361686.tif 000003
【図２】
2004361686.tif 000004
【図３】
2004361686.tif 000005
【図４】
2004361686.tif 000006
【図５】
2004361686.tif 000007
【図６】
2004361686.tif 000008
【図７】
2004361686.tif 000009
【図８】
2004361686.tif 000010